(57)【要約】  配電グリッドの一部での電力消費を制御するシステムで、そのシステムは、電圧、電流、周波数、負荷、又はその組み合わせである特性（又は複数の特性）の以前測定された値に関連付けられた以前測定された電力消費を含むデータセットと、前記データセット内の以前測定された特性値から前記特性値を第１値から第２値へ変更することによるそれら消費者の電力消費への最も可能性が高い効果を決定する処理装置と、測定された状態に１以上の電力消費ユニットに関する是正措置を関連付ける１以上のルールを保存するための記憶装置を備え、前記是正措置は、１以上の電力消費ユニットをオン又はオフにすること、１以上の電力消費ユニットを所定の期間オフ又はオンにしてから、それぞれオン又はオフに戻すこと、及び前記特性（又は複数の特性）値を前記第１値から前記第２値に変更するために、前記電力消費ユニットに電力消費を削減又は増加するように命令することの内の少なくとも１つを含み、前記システムは、測定値が保存ルールの測定された状態に一致するか否かを判定し、トリガールールごとに、前記トリガールールに関連づけた前記是正措置を実行するためにそれぞれの前記電力消費ユニットに命令を伝達するように構成された制御システム。【選択図】図１
2021516936.tif 000002
【特許請求の範囲】
【請求項１】
配電グリッドの一部における電力消費制御システムであって、前記グリッドの前記部分は複数の電力消費ユニットに電力を提供し、前記電力消費制御システムは、
電圧、電流、周波数、負荷、又はその組み合わせである特性（又は複数の特性）の以前測定された値に関連付けられた以前測定された電力消費を含むデータセットと、
前記グリッドの前記特性（又は複数の特性）を測定する測定装置と、
前記データセット内の前記特性（又は複数の特性）の以前測定された値から、前記特性（又は複数の特性）値を第１値から第２値へ変更することによる前記配電グリッドのその部分での電力消費への最も可能性が高い効果を決定する処理装置と、
１以上の前記電力消費ユニットに関連付けられた是正措置に、測定された状態を関連付ける１以上のルールを保存するための記憶装置を備え、
前記是正措置は、１以上の電力消費ユニットをオン又はオフにすること、１以上の電力消費ユニットを所定の期間オフ又はオンにしてから、それぞれオン又はオフに戻すこと、及び前記特性（又は複数の特性）値を前記第１値から前記第２値に変更するために、前記電力消費ユニットにそれらの電力消費を削減又は増加するように命令することの内の少なくとも１つを含み、
測定値が保存ルールの測定された状態に一致するか否かを判定することと、トリガールールごとに、前記トリガールールに関連する前記是正措置を実行するためにそれぞれの前記電力消費ユニットに命令を伝達できるよう動作可能であることを特徴とする電力消費制御システム。
【請求項２】
測定値が保存ルールの測定された状態に一致するか否かを判定するためのプロセッサと、それぞれの前記電力消費ユニットへの命令の伝達のための通信インターフェースとを提供する電力制御装置を含む請求項１に記載のシステム。
【請求項３】
前記電力制御装置が、前記測定装置及び／又は前記記憶装置を含むことを特徴とする請求項２に記載のシステム。
【請求項４】
上述いずれかのシステムにおける、リモート制御ユニットは、前記電力消費ユニット又はそれぞれの電力消費ユニットに関連付けられており、
前記電力消費ユニットに命令を伝達することは、前記リモート制御ユニットに前記命令を伝達すること、及び前記電力消費ユニット（又は複数の電力消費ユニット）に関連する必要な前記是正措置を前記リモート制御ユニットが実行することを含む請求項１〜３のいずれか一項に記載のシステム。
【請求項５】
配電グリッドの一部での電力消費制御方法であって、前記グリッドの前記部分は複数の電力消費ユニットに電力を提供し、
前記方法は、
電圧、電流、周波数、負荷、又はその組み合わせである特性（又は複数の特性）の以前測定された値に関連する
以前測定された電力消費を含むデータセットを提供すること、
１以上の前記電力消費ユニットに関連付けられた是正措置に、測定された状態を関連付ける１以上のルールを保存すること含み、
前記是正措置は、１以上の電力消費ユニットをオン又はオフにすることと、１以上の電力消費ユニットを所定の期間オフ又はオンにしてから、それぞれオン又はオフに戻すことと、前記特性（又は複数の特性）値を前記第１値から前記第２値に変更するために、前記電力消費ユニットにそれらの電力消費を削減又は増加するように命令することの内の少なくとも１つを含み、
前記方法は、更に
前記グリッドの前記特性（又は複数の特性）を測定することと、
前記データセット内の以前測定された前記特性（又は複数の特性）値から、前記特性（又は複数の特性）値を第１値から第２値へ変更することによるそれら消費者の電力消費への最も可能性が高い効果を決定することと、
測定値が保存ルールの測定された状態に一致するか否かを判定することと、
トリガールールごとに、前記トリガールールに関連する前記是正措置を実行するためにそれぞれの前記電力消費ユニットに命令を伝達することを含む方法。
【請求項６】
複数の電力消費ユニットに電力を提供する配電グリッドの電力消費を制御する電力制御装置であって、
前記装置は、
電圧、電流、周波数、負荷、又はその組み合わせである特性（又は複数の特性）の以前測定された値に関連する以前測定された電力消費を含むデータセットと、
前記グリッドの特性（又は複数の特性）を測定する測定装置と、
前記データセット内の以前測定された前記特性（又は複数の特性）値から、前記特性（又は複数の特性）値を第１値から第２値へ変更することによるそれら消費者の電力消費への最も可能性が高い効果を決定する処理装置と、
１以上の前記電力消費ユニットに関連付けられた是正措置に、測定された状態を関連付ける１以上のルールを保存するための記憶装置を備え、
前記是正措置は、１以上の電力消費ユニットをオン又はオフにすること、１以上の電力消費ユニットを所定の期間オフ又はオンにしてから、それぞれオン又はオフに戻すこと、及び前記特性（又は複数の特性）値を前記第１値から前記第２値に変更するために、前記電力消費ユニットにそれらの電力消費を削減又は増加するように命令することの内の少なくとも１つを含み、
前記装置は、
測定値が保存ルールの測定された状態に一致するか否かを判定するように動作可能なプロセッサと、
トリガールールに関連付けられた前記是正措置を実行するために、トリガールールが既にトリガーされていると判定して、それぞれの前記電力消費ユニットに命令を伝達するように動作可能な通信インターフェースを含む電力制御装置。
【発明の詳細な説明】
【技術分野】
【０００１】
本発明は、配電ネットワーク上の周波数調整のためのシステム及び方法並びに該システムで使用する装置に関する。
【背景技術】
【０００２】
配電ネットワークに接続された再生可能型の発電の増加により、双方向の電力フローがますます一般化し、より能動的ネットワークが作り出されている。そのような再生可能な発電機としては、限定するものではないが、例えば風力発電機、太陽光発電機、潮力発電機等が挙げられ、発電所と、家庭用及び商業用施設の両方で（例えば住宅用建物にソーラーパネルを設置して）提供される。これらの能動的ネットワークは、従来の電圧調整方法、即ち、受動的かつ負荷支配的なネットワークに合わせて調整され、トランスの出力端子に一定の電圧を維持することを目的とする電圧調整方法に課題をもたらす。
【０００３】
電力需要の増加が予想されると、経時的にグリッド及び一次変電所の既存のネットワーク容量マージンを侵食することがある。そのような変化に対応するには、配電ネットワーク事業者（ＤＮＯ）は、増加が永続的で即時介入を必要とするのか、又は増加は分散型発電によって最終的に相殺され、ネットワークの強化（即ち、追加の発電機提供）を回避又は延期できるのかを評価する必要がある。その間費用がかかる可能性のある介入なしに、一時的にネットワークを安全に運用するために既存の資産を使用して、ピーク需要における短期急激な上昇を適切に管理し対処する技術が提案されてきた。容量が明らかに問題であることが分かるまでは、これら技術により追加の発電リソースの取得を延期しつつ、需要の短期的変化を管理できる。
【０００４】
電力ネットワークの需要（ある時間におけるネットワーク全体の総電力使用量）は、公共電力供給ネットワーク上の電圧を変更することで削減及び増加できることが実証されている。千鳥状タップ（staggered tap）構成での一次トランスの動作は、ネットワークの無効電力を吸収し、過電圧状況を抑制する有効な手段を提供できる。
【０００５】
一般的に施設にはネットワークから電力が供給されている。各施設で動作する電気装置は、十分に効果的な動作状態で動作するために特定の電圧を必要とする。電気装置に供給される電圧のわずかな変動は、装置の動作に影響を与える可能性があるが、非常に小さな電圧の変動に、通常、装置を操作するユーザは気付かない。例えば、規定電圧のわずかな誤差範囲内で供給される電圧で動作する冷凍ユニット又はエアコンは、十分な効率で動作しない場合があるが、動作効率の違いはほとんど検出されない可能性が高い。これらの装置はそのままユーザの要求に応じて動作することになる。
【０００６】
能動的ネットワークの電圧調整を調査する研究及び関連するフィールドトライアルにより、電圧制御スキーム（自動電圧制御、ＡＶＣ）は、ネットワークへの供給電圧を調整できるが、一方で追加の分散型発電接続には制約的に機能することが判明した。
【０００７】
更に、上記システムはネットワークの許容不可高電圧を回避するのに役立つが、そうでないと高分散型発電出力が低いローカル需要と一致する期間にネットワーク上で発生し得る。
【０００８】
また、ネットワーク内で供給可能な発電量が需要又はネットワーク容量を超える可能性が高まっており、許容不可ネットワーク状況および発電量制限の必要性を引き起こしている。この制限は発電効率を低下させ、それにより顧客のコストを押し上げることになる。
【０００９】
電力プロバイダーは、大型の原子力発電ユニットと共にシステムに接続された低慣性の断続的な発電量の増加に応じた、ネットワークへの電力供給に使用する発電機のタイプの変化を監視しつづけている。その結果、経時的に、カスケードトリッピング事象を回避するためにシステム全体の安定性維持のためシステムリザーブにアクセスする必要性が高まることになる。従来のスピニングリザーブの高い財政的コストおよび炭素コストのため、周波数やシステムバランシングのための迅速かつ柔軟な需要管理は、将来のシステム運用においてより重要な要素になると予想される。これは、ＤＮＯネットワーク内のローカル電力バランシングにとって特にメリットがあり、将来の分散型システムオペレーターのネットワーク管理にも潜在的な利点をもたらす。
【００１０】
全ての交流（ＡＣ）電気ネットワークには固有のシステム周波数がある。周波数はヘルツ（Ｈｚ）で測定され、これはネットワークに接続された同期発電プラントの回転速度を表す。英国では、周波数は通常５０Ｈｚである。
【００１１】
追加の需要がネットワークに接続されると、周波数が低下する。逆に、需要が減少するか、ネットワークに追加発電が追加されると、周波数が高まる。システムの周波数は、技術的理由により厳しい動作限界内に維持する必要がある。通常、周波数は、公称周波数又は目標周波数（英国では５０Ｈｚ）に対してマイナス数パーセントからプラス数パーセントの範囲内に維持する必要がある。例えば、目標周波数が５０Ｈｚのネットワークでは、４９．５Ｈｚから５０．５Ｈｚの周波数で電力を供給する必要がある。
【００１２】
周波数は通常、発電プラントの出力を増減することによって調整する。当然ながら、ネットワークへの需要が高まると、ある段階でネットワークの発電容量に達し、必要に応じてネットワークに追加の電力を提供することによってでは周波数を十分に調整できない可能性がある。この段階に達する前に追加発電容量をネットワークに追加して、必要に応じてネットワーク上の周波数のバランスを確実にとる必要がある。しかし、発電所の出力を増加は、達成するには時間を要しまた費用効果的とはいえず、追加の発電設備の短期的な利用可能性に依存したものとなる。
【先行技術文献】
【特許文献】
【００１３】
【特許文献１】米国特許出願公開第ＵＳ２０１１／０２５１７３２号明細書
【発明の概要】
【発明が解決しようとする課題】
【００１４】
本発明は、従来技術のシステムに関連する１以上の問題を改善又は低減することをその目的とする。
【課題を解決するための手段】
【００１５】
本明細書に記載されているシステムは、電気システムの周波数に応じて電圧を自動的に調整することを可能にする開発に関する。この方法により、需要も自動的に調整され、システム周波数の変化を抑制する。従って、周波数調整が、電力ネットワークの周波数を安定させるための有利な方法を構成する。
【００１６】
このようなシステムは、既存のインフラストラクチャを使用して周波数と負荷の要件を満たすことができる状況で、追加の発電機の必要性を減らすという利点に加えて、電力消費を削減するメカニズムを可能にすることにより環境上の利点も提供する。
【００１７】
そのようなシステムは、システム周波数の変化に対抗するために需要を自動的に調整して、追加の発電所を必要とせずに周波数を規定の動作限界内に維持することを目的とする。センサは、システム周波数を測定し、ネットワーク電圧を変更するために、ネットワークトランスのオンロードタップ変更を動作させるために使用される。これらの電圧変化は、システム需要に所定の信頼性の高い変化を起こさせる技術を介して連係され、それ故にシステム周波数を所望の値に安定化させる。
【００１８】
第１の態様は、配電グリッドの一部への電圧供給制御用電圧制御システムを提供し、
前記グリッドの前記部分は、前記グリッドの前記部分内の消費者に供給する電圧を増減する動作が可能な１以上のトランスを提供する変電所を含み、
前記電圧制御システムは、前記グリッドの一部のための以前測定された特性（又は複数の特性）値に関連する以前測定された電力消費を含むデータセットを提供し、前記特性（又は複数の特性）は、電圧、電流、周波数、負荷、又はその組み合わせであり、
前記電圧制御システムは、前記グリッドの前記部分内で供給される前記特性（又は複数の特性）を測定する測定装置を提供し、
前記電圧制御システムは、前記データセット内の以前測定された前記特性（又は複数の特性）値から、前記特性（又は複数の特性）値を第１値から第２値へ変更することによるそれら消費者の電力消費への最も可能性が高い効果を決定する処理装置を提供する。
【００１９】
前記処理装置は、消費者の電力消費が所望の値に達したか否かを決定するように構成されていてもよい。
【００２０】
前記特性（又は複数の特性）の測定値、及び測定された消費電力が、データセットに追加されてもよい。
【００２１】
前記データセットには、
６０分ごとに、
５０分ごとに、
４０分ごとに、
３０分ごとに、
２０分ごとに、
１５分ごとに、
１０分ごとに、
５分ごとに、
４分ごとに、
３分ごとに、
２分ごとに、又は
１分ごと
に計測された特性（又は複数の特性）値及び前記電力消費値を含んでもよい。
【００２２】
前記データセットには、前記特性と電力消費の測定曜日、例えば、月曜日、火曜日、水曜日、木曜日、金曜日、土曜日、又は日曜日が含まれてもよく、前記特性（又は複数の特性）と電力消費の測定曜日が、前記特性（又は複数の特性）値を変更することによるそれら消費者の電力消費への最も可能性が高い効果を決定するのを支援するために使用できる。
【００２３】
前記データセットには、少なくとも
１年間、
２年間、
３年間、
４年間、
５年間、
６年間、
７年間、
１０年間、
１５年間、又は
２０年間
の期間に測定された特性（又は複数の特性）と電力消費値を含んでもよい。
【００２４】
前記データセットには、季節情報、例えば冬、春、夏、秋、クリスマス日、又は祝日か否かなどの情報を含んでもよい。前記季節情報は、前記特性（又は複数の特性）値を変更することによるそれら消費者の電力消費への最も可能性が高い効果を決定するのを支援するために使用できる。
【００２５】
前記特性（又は複数の特性）値を第１値から第２値へ変更することによるそれら消費者の電力消費への最も可能性が高い効果は、
数値回帰、
ｋ平均法、
多変量解析、
ニューラルネットワーク、
ベイズの定理
のうちの１つ以上を使用して決定してもよい。
【００２６】
前記特性は電圧であってもよい。
【００２７】
前記電圧制御システムは更に、前記グリッドの前記部分内の前記電圧を前記第１値から前記第２値に変更するために前記変電所に命令を伝達するように動作可能である。
【００２８】
前記トランス又は各トランスは一次及び二次巻線を含んでもよく、この場合、前記変電所はタップ切換器を提供可能で、このタップ切換器は前記トランスの一次巻線及び／又は二次巻線の一方又は両方の巻線数を増減させて、前記グリッドの前記部分内の消費者へ前記トランスからの出力電圧を変更するように動作可能である。
【００２９】
トランスのいずれかの巻線の巻数の増加又は減少に応じて、前記特性（又は複数の特性）及び消費電力値を測定し、前記データセットに追加してもよい。
【００３０】
前記トランス又は各トランスは、一次及び二次巻線を含んでもよく、この場合、前記データセットは前記トランスの一次及び／又は二次巻線の一方又は両方の巻数を含んでもよい。
【００３１】
前記電圧制御システムは、
前記データセット内前記特性（又は複数の特性）の以前測定された値から、前記特性（又は複数の特性）値を複数の異なる値のそれぞれに変更することによるそれら消費者の電力消費への最も可能性が高い効果を決定し、
前記複数の値内の選択された１つを前記第２値に決定するように動作可能である。
【００３２】
前記グリッドは複数のｎ個の変電所を含んでもよく、各変電所は、それぞれの変電所によって供給される前記グリッドのそれぞれの部分内で消費者に供給する電圧を増減できる１以上のトランスを提供し、
前記電圧制御システムは、前記ｎ個の変電所の各々について、そのそれぞれの変電所に関連する前記グリッドの前記部分内での前記特性（又は複数の特性）を測定するように動作可能であってもよく、
その場合、前記グリッドのｎ個の部分の各々について、前記データセット内の以前測定された前記特性（又は複数の特性）値から、前記グリッドのその部分に関連する前記特性（又は複数の特性）値を第１値から第２値へ変更することによって前記グリッドの前記部分でのそれら消費者の電力消費に与える最も可能性が高い効果を決定する。
【００３３】
第２の態様は、配電グリッドの一部に供給される電圧を制御する方法を提供し、その方法は、
前記第１の態様に従って示されるようなデータセットを提供することと、
変電所によって供給される前記グリッドの前記部分での特性（又は複数の特性）を測定することと、
前記データセット内の以前測定された前記特性（又は複数の特性）値から、前記特性（又は複数の特性）値を第１値から第２値へ変更することによるそれら消費者の電力消費への最も可能性の高い効果を決定することを含む。
前記特性は電圧であってもよい。
【００３４】
前記方法は、前記特性（又は複数の特性）値及び電力消費を測定すること、及び前記値を関連付けた測定された電力消費と共に前記データセットに保存することを含んでもよい。
【００３５】
前記方法は更に、前記グリッドの前記部分内の消費者に供給する電圧を増減できる１以上のトランスを提供する変電所に、前記グリッドの前記部分内の電圧を前記第１値から前記第２値に変更するように命令を伝達することを含んでもよい。
【００３６】
前記方法は、トランスのいずれかの巻線の巻数増加又は減少に応じて、前記電圧の値及び電力消費を測定し、前記電圧の値を関連する測定された電力消費と共に前記データセットに保存することを含んでもよい。
【００３７】
第３の態様は、配電グリッドの一部への電圧供給制御用電圧制御システムを提供し、
前記グリッドの前記部分は、前記グリッドの前記部分内の消費者に供給する電圧を増減できる１以上のトランスを提供する変電所を含み、
前記電圧制御システムは、
電圧、電流、周波数、負荷、又はその組み合わせである特性（又は複数の特性）の以前測定された値に関連する以前測定された電力消費を含むデータセットと、
前記グリッドの前記部分内の前記特性（又は複数の特性）を測定する測定装置と、
前記データセット内の以前測定された前記特性（又は複数の特性）値から、前記特性（又は複数の特性）値を第１値から第２値へ変更することによるそれら消費者の電力消費への最も可能性が高い効果を決定する処理装置と、
前記変電所に関連付けられた応答措置であって、前記特性（又は複数の特性）を前記第１値から前記第２値に変更することを含む応答措置に、トリガーイベントを関連付ける１以上のルールを保存するための記憶装置と、
前記測定値が前記ルールのいずれか１つのトリガーイベントと一致するか否かを判定できるように前記グリッドの前記部分内の前記特性（又は複数の特性）測定値を受け取り、また各トリガールールについて、前記トリガールールに関連付けられた前記応答措置を実行するために前記変電所に命令を伝達するように構成された制御装置を含む。
【００３８】
前記システムは、前記変電所の各々につながる測定装置を含んでもよく、この場合、前記制御装置は、前記グリッドの複数の部分の測定値を受け取り、前記測定値が１以上のトリガーイベントと一致するか否かを判定し、各トリガールールについて、前記トリガールールに関連付けられた前記応答措置を実行するために、前記ルールに関連付けられた対応する前記変電所に命令を伝達するように構成されてもよい。
【００３９】
前記トリガーイベントは、前記グリッドの一部での電圧、電流、周波数、又は電力消費に関連するしきい値であってもよい。
【００４０】
前記トリガーイベントは、前記トリガーイベントが最初に観察された時から前記応答措置が実行されるまでの間の関連する時間経過を含んでもよく、この場合、前記応答措置は、前記所定の時間が経過した後でも前記トリガーイベントが依然としてトリガーされている場合にのみ実行されうる。
【００４１】
前記応答措置は、特定の変電所に関連する電圧上昇又は電圧低下を特定してもよい。
【００４２】
前記システムは、前記特性（又は複数の特性）値を第１値から第２値に変更するこが前記グリッド前記（又は各）部分での電力消費に与える最も可能性が高い効果に応じて、ルールを生成又は更新するように動作可能であってもよい。
【００４３】
前記測定装置は、前記グリッドの前記部分内の消費者に最初（初回）に供給される最初（第１）の電圧を測定するように構成され、
この場合、前記測定装置は、電圧制御装置の一部を形成してもよく、この電圧制御装置は、前記制御装置として機能するネットワーク制御装置に前記測定された電圧を伝達するように動作可能であり、前記ネットワーク制御装置は、前記測定値が前記ルールのいずれかに一致するか否かを判定し、直接的又は前記電圧制御装置を介して間接的に前記変電所に命令を伝達するように動作可能である。
【００４４】
前記測定装置、記憶装置及び制御装置全てが電圧制御装置によって提供されてもよく、前記電圧制御装置は、前記測定値が前記ルールのいずれかに一致するか否かを判定し、前記応答措置に応じて直接前記変電所に命令を伝達するように動作可能である。
【００４５】
第４の態様は、配電グリッドの一部に供給される電圧を制御する方法を提供し、前記方法は、
前記何れかの請求項に記載されているデータセットを提供することと、
前記グリッドの前記部分の特性（又は複数の特性）（電圧、電流、周波数、負荷、又はその組み合わせ）を測定することと、
前記データセット内の以前測定された前記特性（又は複数の特性）値から、前記特性（又は複数の特性）値を第１値から第２値へ変更することによる前記配電グリッド部分における電力消費への最も可能性の高い効果を決定することと、
前記変電所に関連付けられた応答措置であって、前記特性（又は複数の特性）値を第１値から第２値へ変更することを含む応答措置にトリガーイベントを関連付ける１以上のルールを保存することと、
前記測定値が前記ルールのいずれか１つのトリガーイベントと一致するか否かを判定することと、
各トリガールールについて、前記トリガールールに関連付けられた前記応答措置を実行するために前記グリッドの前記部分内の変電所に命令を伝達することを含む。
【００４６】
前記方法は、トリガーイベントが発生したと判定すると、前記トリガーイベントで特定された時間が経過するのを待ってから、前記ルールをトリガーした前記グリッドの前記部分の特徴を再測定し、前記トリガーイベント条件が後の測定で依然として満たされている場合にのみ、前記変電所に命令を伝達するステップを含んでもよい。
【００４７】
前記方法は更に、
前記特性（又は複数の特性）値を第１値から第２値へ変更することによる前記グリッドの前記部分又は各々の部分での電力消費に対する最も可能性の高い効果に従って、前記ルールの１以上を生成又は更新することを含んでもよい。
【００４８】
前記方法は、ユーザからの入力として前記ルールを受け取ること、及びそれらのルールを保存することを含んでもよい。
【００４９】
第５の態様は、配電グリッドの一部であって、複数の電力消費ユニットに電力を提供する部分での電力消費を制御するシステムを提供し、前記システムは、
電圧、電流、周波数、負荷、又はその組み合わせである特性（又は複数の特性）の以前測定された値に関連する以前測定された電力消費を含むデータセットと、
前記グリッドの前記特性（又は複数の特性）を測定する測定装置と、
前記データセット内の以前測定された前記特性（又は複数の特性）値から、前記特性（又は複数の特性）値を第１値から第２値へ変更することによる前記配電グリッド部分での電力消費に対する最も可能性の高い効果を決定する処理装置と、
１以上の前記電力消費ユニットに関連付けられた是正措置に、測定された状態を関連付ける１以上のルールを保存するための記憶装置を備え、
前記是正措置は、１以上の電力消費ユニットをオン又はオフにすること、１以上の電力消費ユニットを所定の期間オフ又はオンにしてから、それぞれオン又はオフに戻すこと、及び前記特性（又は複数の特性）値を前記第１値から前記第２値に変更するために、前記電力消費ユニットにそれらの電力消費を削減又は増加するように命令することの内の少なくとも１つを含み、
前記システムは、測定値が保存ルールの測定された状態に一致するか否かを判定し、トリガールールごとに、前記トリガールールに関連する前記是正措置を実行するためにそれぞれの前記電力消費ユニットに命令を伝達するように動作可能である。
【００５０】
また、配電グリッドの一部の電力消費を制御するシステムが提供され、
前記グリッドの前記部分は、複数の電力消費ユニットに電力を提供し、前記グリッドの前記部分内の消費者に供給する電圧を増減できる１以上のトランスを提供する変電所を含み、
前記システムは、
電圧、電流、周波数、負荷、又はその組み合わせである特性（又は複数の特性）の以前測定された電力消費を含むデータセットと、
前記グリッドの特性（又は複数の特性）を測定する測定装置と、
前記データセット内の以前測定された前記特性（又は複数の特性）値から、前記特性（又は複数の特性）値を第１値から第２値へ変更することによるそれら消費者の電力消費への最も可能性の高い効果を決定する処理装置と、
１以上の前記電力消費ユニットに関連付けられた是正措置に測定された状態を関連付ける１以上のルールを保存するための記憶装置を備え、
前記是正措置は、１以上の電力消費ユニットをオン又はオフにすること、１以上の電力消費ユニットを所定の期間オフ又はオンにしてから、それぞれオン又はオフに戻すこと、及び前記特性（又は複数の特性）値を前記第１値から前記第２値に変更するために、前記電力消費ユニットにそれらの電力消費を削減又は増加するように命令することの内の少なくとも１つを含み、
前記システムは、測定値が保存ルールの測定された状態に一致するか否かを判定し、トリガールールごとに、前記トリガールールに関連する前記是正措置を実行するためにそれぞれの前記電力消費ユニットに命令を伝達するように動作可能である。
【００５１】
前記システムは、測定値が保存ルールの測定された状態に一致するか否かを判定するためのプロセッサと、それぞれの前記電力消費ユニットへの命令の伝達のための通信インターフェースとを提供する電力制御装置を含んでもよい。
【００５２】
前記電力制御装置は、前記測定装置及び／又は前記記憶装置を含んでもよい。
【００５３】
リモート制御ユニットが前記電力消費ユニット又は各電力消費ユニットに関連付けられていてもよく、この場合、前記電力消費ユニットに命令を伝達することは、前記リモート制御ユニットに前記命令を伝達すること、及び前記電力消費ユニット（又は複数の電力消費ユニット）に関連する必要な是正措置を前記リモート制御ユニットが行うことを含んでもよい。
【００５４】
第６の態様は、配電グリッドの一部において電力消費を制御する方法であって、前記グリッドの前記部分は複数の電力消費ユニットに電力を提供し、
前記方法は、
電圧、電流、周波数、負荷、又はその組み合わせである特性（又は複数の特性）の以前測定された値に関連する以前測定された電力消費を含むデータセットを提供することと、
１以上の前記電力消費ユニットに関連付けられた是正措置に、測定された状態を関連付ける１以上のルールを保存することを含み、
前記是正措置は、１以上の電力消費ユニットをオン又はオフにすることと、１以上の電力消費ユニットを所定の期間オフ又はオンにしてから、それぞれオン又はオフに戻すこと、及び前記特性（又は複数の特性）値を第１値から第２値へ変更するために、前記電力消費ユニットにそれらの電力消費を削減又は増加するように命令することの内の少なくとも１つを含み、
前記方法は、
前記グリッドの前記特性（又は複数の特性）を測定することと、
前記データセット内の以前測定された前記特性（又は複数の特性）値から、前記特性（又は複数の特性）値を第１値から第２値へ変更することによるそれら消費者の電力消費への最も可能性の高い効果を決定することと、
測定値が保存ルールの測定された状態に一致するか否かを判定することと、
トリガールールごとに、前記トリガールールに関連する前記是正措置を実行するためにそれぞれの前記電力消費ユニットに命令を伝達することを含む。
【００５５】
第７の態様は、複数の電力消費ユニットに電力を提供する配電グリッドの電力消費を制御する電力制御装置を提供し、
前記装置は、
電圧、電流、周波数、負荷、又はその組み合わせである特性（又は複数の特性）の以前測定された値に関連する以前測定された電力消費を含むデータセットと、
前記グリッドの特性（又は複数の特性）を測定する測定装置と、
前記データセット内の以前測定された前記特性（又は複数の特性）値から、特性（又は複数の特性）値を第１値から第２値へ変更することによるそれら消費者の電力消費への最も可能性の高い効果を決定する処理装置と、
１以上の前記電力消費ユニットに関連付けられた是正措置に測定された状態を関連付ける１以上のルールを保存するための記憶装置を備え、
前記是正措置は、１以上の電力消費ユニットをオン又はオフにすること、１以上の電力消費ユニットを所定の期間オフ又はオンにしてから、それぞれオン又はオフに戻すこと、及び前記特性（又は複数の特性）値を前記第１値から前記第２値に変更するために、前記電力消費ユニットにそれらの電力消費を削減又は増加するように命令することの内の少なくとも１つを含み、
前記装置は、
測定値が保存ルールの測定された状態に一致するか否かを判定するように動作可能なプロセッサと、
前記トリガールールに関連付けられた前記是正措置を実行するためにそれぞれの前記電力消費ユニットに命令を伝達するように動作可能な通信インターフェースを含み、この場合トリガールールは既にトリガーされていると判断する。
【００５６】
第８の態様は、配電グリッドの一部への電圧供給制御用電圧制御システムを提供し、
前記グリッドの前記部分は、前記グリッドの前記部分内の消費者に供給する電圧を増減できる１以上のトランスを提供する変電所を含み、
前記電圧制御システムは、前記グリッドの前記部分内の消費者に最初（初回）に供給される第１電圧を測定し、消費者が使用している第１の負荷の推定値を測定又は計算する測定装置と、
前記電圧制御システムは、それら消費者に供給される電圧を供給電圧から修正電圧に変更することによるそれら消費者の電力消費への効果の推定値を決定する処理装置を提供する。
【００５７】
前記電圧制御システムは更に、前記変電所に命令を伝達して、前記グリッドの前記部分内の消費者に供給される電圧を前記修正電圧に変更して、第２回目に前記第１電圧とは異なる第２電圧が消費者に供給されるように動作可能であってもよい。
【００５８】
前記変電所の前記トランス又は各トランスはタップ切換器を提供でき、該タップ切換器は、前記グリッドの前記部分内の消費者へ前記トランスからの出力電圧を変更するために前記トランスの一次巻線及び／又は二次巻線の一方又は両方の巻数を増加又は減少するように動作可能である。
【００５９】
前記電圧制御システムは、電圧制御装置を提供でき、該電圧制御装置は、前記グリッドの前記部分内の消費者に供給される電圧を測定し、測定された電圧をネットワーク制御装置に伝達するように動作可能であり、前記ネットワーク制御装置は、前記修正電圧を印加することによる効果の推定値を決定し、その後、前記修正電圧を印加するために前記変電所及び前記電圧制御装置の少なくとも一方に命令を伝達するように動作可能である。
【００６０】
前記電圧制御システムは、
前記供給電圧を複数の異なる電圧のそれぞれに変更することによるそれら消費者の電力消費に対する効果の推定値を決定し、
前記複数の電圧のうちの選択された１つを前記修正電圧に決定する
ように動作可能であってもよい。
【００６１】
前記電圧制御システムは、前記修正電圧を印加することによる効果の推定値をユーザに表示するように動作可能であってもよく、前記電圧制御システムは、前記ユーザからの入力を受信すると、前記修正電圧を達成するように前記変電所に命令を伝達するように動作可能である。
【００６２】
前記複数の異なる電圧の各々を印加することによる効果の推定値がユーザに対して表示されてもよく、
前記電圧制御システムは、前記異なる電圧から選択された１つの電圧を表す前記ユーザからの入力を受け取るように動作可能であってもよく、前記修正電圧は、前記選択された１つの電圧として設定される。
【００６３】
前記グリッドは複数のｎ個の変電所を含んでもよく、各変電所は、それぞれの変電所によって供給される前記グリッドのそれぞれの部分内で消費者に供給消費者に供給する電圧を増減できる１以上のトランスを提供し、
前記電圧制御システムは、前記ｎ個の変電所の各々について、そのそれぞれの変電所に関連する前記グリッドの前記部分内の複数消費者に初回に供給される第１電圧を測定し、その変電所が受け持つ前記グリッドの対応する部分で消費者が初回に使用している第１の負荷の推定値を測定又は計算し、
前記グリッドの前記ｎ個の部分の各々について、前記グリッドのその部分内の消費者に供給する電圧を前記供給電圧から前記グリッドの前記部分に関連するそれぞれの修正電圧へ変更することによる前記グリッドの前記部分内のそれら消費者の電力消費に対する効果の推定値を決定するように動作可能であってもよい。
【００６４】
第９の態様は、配電グリッドの一部に供給される電圧を制御する方法を提供し、その方法は、
前記グリッドの一部であって変電所によって電力供給される部分内の消費者に初回に供給される第１電圧を測定することと、
前記消費者が初回に使用している第１の負荷の推定値を測定又は計算することと、
それら消費者に供給する電圧を前記供給電圧から修正電圧に変更することによるそれら消費者の電力消費に対する効果の推定値を決定することを含む。
【００６５】
前記方法は更に、前記グリッドの前記部分内の消費者に供給する電圧を前記修正電圧に変更し、第２回目に前記第１電圧とは異なる第２電圧が消費者に供給されるようにすることを含んでもよい。
【００６６】
消費者に供給する電圧は、前記変電所によって提供されるタップ切換器を操作して、前記トランスの一次巻線及び／又は二次巻線の一方又は両方の巻数を増加又は減少することにより変更してもよい。
【００６７】
前記方法は、
電圧制御装置を使用して、関連する変電所によって前記グリッドの前記部分内の消費者に供給する電圧を測定することと、
前記測定された電圧を前記電圧制御装置からネットワーク制御装置に伝達することと、
前記修正電圧を印加することによる効果を前記ネットワーク制御装置を使用して推定することと、その後
前記修正電圧を印加するために、前記ネットワーク制御装置から、前記変電所及び前記電圧制御装置の少なくとも一方に命令を伝達することを含んでもよい。
【００６８】
前記方法は、
前記供給された電圧を複数の異なる電圧の各々に変更することによるそれら消費者の電力消費への効果の推定値を決定することと、
前記複数の電圧の選択された１つを前記修正電圧に決定することを含んでもよい。
【００６９】
第１０の態様は、変電所によって電力が供給されるグリッドの一部内の消費者に供給する電圧の制御に使用するための電圧制御装置を提供し、前記装置は、消費者へ供給する電圧を測定する測定装置を提供し、前記電圧制御装置は、消費者が使用している初回の負荷の推定値を測定又は計算し、前記測定された電圧と前記測定又は推定された負荷をリモートネットワーク制御装置に伝達するための通信インターフェースを提供するように構成されている。
【００７０】
第１１の態様は、変電所によって電力が供給されるグリッドの一部内で消費者に供給する電圧の制御に使用するネットワーク制御装置を提供し、該装置は、
測定された電圧及び測定又は推定された負荷の表示を受け取るための通信インターフェースと、
それら消費者に供給する電圧を前記測定された電圧から修正電圧に変更することによるそれら消費者の電力消費に対する効果の推定値を決定するように構成されたプロセッサを備える。
【００７１】
第１２の態様は、配電グリッドの一部への電圧供給制御用、電圧制御システムを提供し、
前記グリッドの前記部分は、前記グリッドの前記部分内での消費者に供給する電圧を増減できる１以上のトランスを提供する変電所を含み、前記システムは、
前記グリッドの前記部分の特徴（前記グリッドの前記部分内の消費者に供給する電圧、周波数、電流、又は前記グリッドのその部分内での電力消費のレベルの内の少なくとも１つを含む）を測定するように動作可能な測定装置と、
前記変電所に関連付けられた応答措置にトリガーイベントを関連付ける１以上のルールを保存するための記憶装置と、
前記測定値が前記ルールのいずれか１つのトリガーイベントと一致するか否かを判定できるように前記グリッドの前記部分内の前記特性（又は複数の特性）測定値を受け取り、また各トリガールールについて、前記トリガールールに関連付けられた前記応答措置を実行するために前記変電所に命令を伝達するよう構成された制御装置を含む。
【００７２】
前記システムは、前記変電所の各々につながる測定装置を含んでいてもよく、
この場合、前記制御装置は、前記グリッドの複数の部分の測定値を受け取り、前記測定値が１以上のトリガーイベントと一致するか否かを判定し、各トリガールールについて、前記トリガールールに関連付けられた前記応答措置を実行するために前記ルールに関連付けられた前記対応する変電所に命令を伝達するように構成される。
【００７３】
前記トリガーイベントは、前記グリッドの一部での電圧、電流、周波数、又は電力消費に関連するしきい値であってもよい。
【００７４】
前記トリガーイベントは、前記トリガーイベントが最初に観察された時から前記応答措置が実行されるまでの関連する時間経過を含んでもよく、この場合、前記応答措置は、所定の時間が経過した後でも前記トリガーイベントが依然としてトリガーされている場合にのみ実行されうる。
【００７５】
前記応答措置は、特定の変電所に関連する電圧上昇又は電圧低下を特定されうる。
【００７６】
前記システムは更に、前記グリッドの前記、又は特定の部分で消費中の電力の推定値を測定又は計算し、前記グリッドの前記部分に関連する前記変電所によって供給される電圧を、前記供給された電圧から修正電圧に変更することによるその部分での電力消費に対する効果の推定値を決定するように構成されていてもよい。
【００７７】
前記システムは、前記又は各部分における電力消費に対する前記推定できる効果の推定値に従って、ルールを生成又は更新するように動作可能であってもよい。
【００７８】
前記測定装置は、電圧制御装置の一部を形成してもよく、この電圧制御装置は、前記制御装置として機能するネットワーク制御装置に前記測定された電圧を伝達するように動作可能であり、前記ネットワーク制御装置は、前記測定値が前記ルールのいずれかに一致するどうかを決定し、直接的又は前記電圧制御装置を介して間接的に前記変電所に命令を伝達するように動作可能である。
【００７９】
前記測定装置、前記記憶装置及び前記制御装置の全てが電圧制御装置によって提供されてもよく、前記電圧制御装置は、前記測定値が前記ルールのいずれかに一致するか否かを判定し、前記応答措置に応じて直接前記変電所に命令を伝達するように動作可能である。
【００８０】
第１３の態様は、配電グリッドの一部に供給される電圧を制御する方法を提供し、該方法は、
前記変電所に関連付けられた応答措置にトリガーイベントを関連付ける１以上のルールを保存することと、
前記グリッドの前記部分の特徴（前記グリッドの前記部分内の消費者に供給する電圧、周波数、電流、又は前記グリッドの前記部部分内での電力消費のレベルの内の少なくとも１つ含む）を測定することと、
前記測定値が前記ルールのいずれか１つのトリガーイベントと一致するか否かを判定することと、
各トリガールールについて、前記トリガールールに関連付けられた前記応答措置を実行するために前記グリッドの前記部分内の変電所に命令を伝達することを含む。
【００８１】
前記方法は、トリガーイベントが発生したと判定すると、前記トリガーイベントで特定された時間が経過するのを待ってから、前記ルールをトリガーした前記グリッドの前記部分の前記特徴を再測定し、前記トリガーイベント条件が後の測定で依然として満たされている場合にのみ、前記変電所に命令を伝達するステップを含んでもよい。
【００８２】
前記方法は更に、
前記グリッドの前記部分で消費されている電力の推定値を測定又は計算することと、
前記グリッドの前記部分に関連する前記変電所によって供給される電圧を前記供給された電圧から修正電圧に変更することによるその部分での電力消費に対する効果の推定値を決定することを含んでもよい。
【００８３】
前記方法は更に、
前記グリッドの前記又は各部分での電力消費に対する前記推定された効果の推定値に従って、前記ルールの１つ以上を生成又は更新することを含んでもよい。
【００８４】
前記方法は、ユーザからの入力として前記ルールを受け取ること、及びそれらのルールを保存することを含んでもよい。
【００８５】
第１４の態様は、複数の電力消費ユニットに電力を供給する配電グリッドの電力消費を制御するシステムを提供し、該システムは、
前記グリッドの特性（電圧、電流、周波数、負荷、電力消費、又はそれらの組み合わせ）を測定する測定装置と、
１以上の前記電力消費ユニットに関連付けられた是正措置に測定された状態を関連付ける１以上のルールを保存するための記憶装置を備え、
前記システムは、測定値が保存ルールの測定された状態に一致するか否かを判定し、各トリガールールについて、前記トリガールールに関連付けられた前記是正措置を実行するため、それぞれの前記電力消費ユニットに命令を伝達するように構成される。
【００８６】
前記システムは、測定値が保存ルールの測定された状態に一致するか否かを判定するためのプロセッサと、それぞれの前記電力消費ユニットへの命令の伝達のための通信インターフェースとを提供する電力制御装置を含んでもよい。
【００８７】
前記電力制御装置は、前記測定装置及び／又は前記記憶装置を含んでもよい。
【００８８】
前記是正措置は、１以上の電力消費ユニットをオン又はオフにすること、１以上の電力消費ユニットを所定の期間オフ又はオンにしてから、それぞれオン又はオフに戻すこと、及び前記電力消費ユニットにそれらの電力消費を削減又は増加するように命令することの内の少なくとも１つを含んでもよい。
【００８９】
前記電力消費ユニット又は各電力消費ユニットにリモート制御ユニットが関連付けられてもよく、この場合、前記電力消費ユニットに命令を伝達することは、前記リモート制御ユニットに前記命令を伝達すること、及び前記リモート制御ユニットが前記電力消費ユニット（又は複数の電力消費ユニット）に関連する必要な是正措置を行うことを含んでもよい。
【００９０】
第１５の態様は、複数の電力消費ユニットに電力を供給する配電グリッドの電力消費を制御する方法を提供し、該方法は、
１以上の前記電力消費ユニットに関連付けられた是正措置に測定された状態を関連付ける１以上のルールを保存することと、
前記グリッドの特性（電圧、電流、周波数、負荷、電力消費、又はそれらの組み合わせ）を測定することと、
測定値が保存ルールの測定された状態に一致するか否かを判定することと、
各トリガールールについて、前記トリガールールに関連付けられた前記是正措置を実行するためにそれぞれの前記電力消費ユニットに命令を伝達することを含む。
【００９１】
伝達された前記命令は、１以上の電力消費ユニットをオン又はオフにすること、１以上の電力消費ユニットを所定の期間オフ又はオンにしてから、それぞれオン又はオフに戻すこと、及び前記電力消費ユニットにそれらの電力消費を削減又は増加するように命令することの内の少なくとも１つを含んでもよい。
【００９２】
第１６の態様は、複数の電力消費ユニットに電力を供給する配電グリッドの電力消費を制御する電力制御装置を提供し、該装置は、
前記グリッドの特性（電圧、電流、周波数、負荷、電力消費、又はそれらの組み合わせ）を測定する測定装置と、
１以上の前記電力消費ユニットに関連付けられた是正措置に測定された状態を関連付ける１以上のルールを保存するための記憶装置と、
測定値が保存ルールの測定された状態に一致するか否かを判定するように動作可能なプロセッサと、
前記トリガールールに関連付けられた前記是正措置を実行するために、トリガールールが既にトリガーされたと判断して、それぞれの前記電力消費ユニットに命令を伝達するように動作可能な通信インターフェースとを含む。
【００９３】
添付の図面を参照しながら例示のみにより本発明の実施形態の特徴を説明する。
【図面の簡単な説明】
【００９４】
【図１】本発明の態様による電力グリッド及びシステムの一部の概略図である。
【図２】本発明の態様による電圧制御装置の概略図である。
【図３】本発明の態様によるネットワーク制御装置の概略図である。
【図４】本発明の態様による電力制御装置の概略図である。
【発明を実施するための形態】
【００９５】
大まかに述べれば、トランスは電磁誘導によって２つの回路間で電気エネルギーを伝達する。当技術分野で知られているように、変化する磁場は、トランスのコイル内の電流を変化させることによって生成され、次に、第２のコイルに電圧を引き起こす。このようにして、磁場を介して２つのコイル間で電力が伝送される。トランスは、電力グリッド１０内のさまざまな位置に配備される。例えば、トランス１８は、発電リソース１６（発電所など）が配置された送電グリッド１２上で使用され、配電グリッド１４で消費者に送電するのに適したより低い電圧に給電を変換する。トランス２０は、グリッド上のローカル変電所にも設けられており、電圧を更に、例えば、住宅、商業、及び産業用施設での消費に適したレベル（英国では２４０Ｖ）に下げる。
【００９６】
一般的な電力ネットワークでは、トランス１８、２０のタップ位置を変更することにより、システム電圧が調整される。タップ切換器を使用して、トランスのいずれか一方又は両方のコイルの巻数比を個別のステップで変更する。可変巻数比は、トランス１８、２０の一次巻線又は二次巻線のいずれかにいくつかの追加のタップを接続して、一次巻線と二次巻線の間の巻数の比率を増減することで可能になる。比率を増減することにより、トランスからの電圧出力が変更される。例えば、トランスのデフォルト設定では、一次（即ち、入力）巻線の巻数を８０、二次（即ち、出力）巻線の巻数を２０とすることで、高電圧入力を低電圧出力に変換し、入力と出力電圧の比を４：１にする。２つの巻線間のコイルの比率を増やすことにより（例えば、一次巻線にタップコイルを追加することにより）、出力電圧に対する入力電圧の比率が増加し、出力電圧が低下する。タップ切替器は自動化可能であるが、手動で操作してもよい。
【００９７】
多くの変電所には、並列で動作する一対トランスを含む。図示では、変電所２０が単一のトランス２０によって表されているが、変電所は通常、並列に動作する一対のトランスが設けられることを理解されたい。各トランス２０の各タップは、約１．５％電圧を変化させ、各トランス２０で、約２０％の一般的なタップ範囲が利用可能である。２０，０００人の顧客に給電する一対のトランス２０は、通常の動作中に一般的に毎日２回から２０回タップアップ及びタップダウンして、送電グリッド１２から受け取った入力電圧に変動があっても出力電圧を均一に保つ。結果として生じる電圧変化は非常に小さいため、顧客に気付かれない。
【００９８】
施設のグループに給電する一対のトランス２０が異なるタップ位置で、即ち「千鳥状タップ（staggered taps）」で動作する場合、循環電流がトランス対の回りに導入される。循環電流は、ネットワーク力率を低下させ、上流の配電グリッド１２からの無効電力を効果的に吸収する。結果として生じる無効需要の増加により、グリッドの上位側のネットワーク電圧が低下するが、顧客の電圧は影響を受けない。この手法は、発生し得る許容できない高電圧の抑制に非常に効果的である。
【００９９】
トランス２０の対の構成はまた、給電における大きな発電量が失われる場合に自動的にネットワークのバランスをとることができる迅速な需要応答を提供するためにも使用できる。例えば、一対のトランス２０のうちの一方が切り離された場合、他方のトランス２０によってグループ内の全ての施設への給電は維持されるが、グループに供給される電圧は、４〜８％瞬時に減少し、グループ内の同様の瞬間的需要の減少を引き起こす。多くの変電所にわたる集約が行なわれると、この応答は、大規模発電機１６での電力損失を打ち消すほどの大きさになる。本発明のシステムは、この種の応答を、連係、制御された方法で提供することを可能にするものである。
【０１００】
特定の条件下、例えば利用可能な予備発電源が全て使い果たされ、システムのバランスを取るために利用できる唯一の選択肢が需要削減だけである場合は、需要の大幅な減少（例えば、２０〜４０％）が可能とされるであろう。需要削減は、電圧を低下させること又は負荷を直接切り離すことのいずれかによって実現できる。３％の電圧低下は、通常５％の需要削減をもたらし、６％の電圧低下は、１０％の需要削減をもたらす。これらの需要削減要件を満たすために、トランスのタップ操作による１．５％の電圧変化が、予測可能で制御された需要応答を提供し、これはネットワーク内のあるポイントで集約された場合、ローカルであれ、より広域の全国的なグリッドであれ、同時に顧客への供給の品質に影響を与えずに、需要を管理するのに十分である。
【０１０１】
図１を参照すると、配電グリッド１２は変電所２０を介して接続され、変電所２０は、例えば、送電電圧をより低い電圧に変換して消費者２２に供給するための（上述のように対の）トランスを提供する。一般的に、電力は、例えば住宅用、商業用、又は工業用ユニットなどの施設内の消費者に局所的に供給される。単一の変電所２０は、単一又は複数の消費者２２に電力を供給するであろう。例えば、住宅街では、変電所が数百、数千の所有地に電力を供給するであろう。住宅地の場合、消費者２２は、それぞれ数ｋＷのオーダーの比較的少量の電力を消費する。しかし、変電所２０が受け持つグリッドの各サブセクション内で消費される電力は常に変化する。消費はある一定の一般的パターンに従って変化するが、特定の時間又は将来の一定期間に必要とされる電力量を予測する特定の方法がないため、変電所２０にかかる負荷を事前に正確に知ることはできない。
【０１０２】
大まかに述べれば、配電グリッドの各部への電圧供給を制御するシステムが提供される。各部分は、グリッドのその部分内の消費者に供給する電圧を増減できる１以上のトランスを有するそれぞれの変電所２０を提供するものと考えることができる。一般的に、この電圧制御システムは、グリッドのその部分内の消費者に初回に供給される第１電圧を測定する。システムは、消費者が使用しているその時点での負荷の推定値、即ち、消費されている電力量も測定（又は他の測定値に基づいて計算）する。このデータを使用して、電圧制御システムは、それら消費者に供給される電圧を供給電圧から修正電圧へ変更することによるそれら消費者の電力消費に対する効果の推定値を決定する。換言すると、グリッドのその部分への電圧が低下した場合、その電圧低下の結果として、対応する電力使用量の低下はどの程度になりそうであるかを決定する。同様に、電圧が上昇した場合、どのような効果があるかを決定する。このような電力消費の変動はグリッドの周波数に影響を与えるため、そのような上昇と減少の影響について、それらを行う前に知っておくと、グリッド管理と周波数の変動への対応に使用される重要な情報が得られる。
【０１０３】
電圧制御装置２６は電圧制御システムの一部を形成し、電圧制御システムは、それぞれの変電所２０及び消費者２２のセットに関連付けられている複数の電圧制御装置２６を含み得る。１以上のネットワーク制御装置２８もまた、電圧制御システムの一部を形成し、ネットワーク制御装置２８は、電圧制御装置２６と通信してそれらの装置からデータを受け取り、それぞれの変電所２０を制御することによってグリッド上の周波数を調整する方法を決定するように構成される。
【０１０４】
各電圧制御装置２６はリレー４８を提供して、例えば故障が発生した場合に、回路遮断器を作動させて電力が供給されている接続を遮断することにより、電力消費ネットワークから消費者２２を切り離すことができる。
【０１０５】
複数の実施形態では、特に住宅及び商業環境においては、単一の電圧制御装置２６が１以上の施設と変電所２０に接続されうる。好ましくは、電圧制御装置２６は、変電所２０と複数の消費者２２との間に電力接続を提供する。産業環境においては、即ち、例えば病院などの大きな電力消費を生じる単一の消費者のためには、単一の電圧制御装置２６が変電所２０を単一の消費者２２に接続することが効果的であろう。
【０１０６】
各消費者２２は、各々がネットワークから電気的負荷を引き出す複数の電気式装置を使用するであろう。例えば住宅用所有地には、電力を必要とする数十又は数百の装置が含まれるであろう。工場又は商業施設は、空調システム、冷凍システム、貯蔵ヒーターなどの数十又は数百の電力消費ユニット２４を提供するであろう。
【０１０７】
図２及び図３は、本発明の実施形態による電圧制御装置２６及びネットワーク制御装置２８を示す。電圧制御装置２６は、そのそれぞれの消費者２２に供給する電気（入力ライン４２を参照）の電圧を測定するように動作可能な測定装置４４を含む。測定装置４４、又は更に別の測定装置はまた、ネットワークのそのサブセクションを形成する消費者２２によってネットワークから引き出される負荷を測定又は計算するように動作可能である。前記測定装置４４又は別の測定装置４４は、ネットワークの周波数を測定するように動作可能であってもよい。
【０１０８】
複数の実施形態では、電圧制御装置２６は、この装置の動作を制御するためのプロセッサ４６を含む。プロセッサ４６は、データ記憶装置５０に、（装置の内部において、又は、例えばリモート装置又はクラウドリソースへのデータリンクを介して）接続されている。記憶装置５０は、特定の動作状態が検出されたときにリレー４８を動作させるためにプロセッサ４６を構成するための動作命令を記憶するために使用されるであろう。例えば、測定装置４４によって過電圧が検出された場合にリレー４８が遮断されるであろう。
【０１０９】
電圧制御装置２６によって測定された電圧及び／又は電流の測定値は、ネットワーク制御装置２８に伝達され、ネットワーク通信インターフェース３２を介して受け取られる。測定値はまた、記憶装置５０にローカルに記憶されてもよい。電圧制御装置２６は、通信チャネル５４を介してネットワーク制御装置２８との間でデータを送受信するための通信インターフェース５２を提供する。通信チャネル５４は、直接有線リンクによって、又は有線又は無線ネットワークを介して、インターネットプロトコルを介して（例えば、クラウドベースのサーバを介して）、又は当技術分野で知られている他の適切な通信手段によって提供してもよい。ネットワーク制御装置２８は、電圧制御装置２６及び／又は変電所２０との間でデータを送受信するためのそれぞれの通信インターフェース３２を提供する。
【０１１０】
更に、プロセッサ４６は、電圧制御装置２６及びそのそれぞれの消費者２２に電力を供給する各変電所２０と通信するように構成されていてもよい。
【０１１１】
複数の実施形態では、ネットワーク制御装置２８は、ダッシュボード機能を更に提供、即ちユーザがネットワーク全体の様々な分散配置された電圧制御装置の動作を監視及び／又は制御し、及び／又はネットワーク上のさまざまな変電所２０において動作するトランスを制御するためのインターフェースを提供する。ネットワーク制御装置２８及びダッシュボードという用語は、本明細書では互換的に使用される。
【０１１２】
ネットワーク制御装置２８は、通信インターフェース３２を介して、ネットワーク上のローカル変電所２０における電圧制御装置２６及びトランスを制御及び構成するように動作可能なプロセッサ３６を提供する。ネットワーク制御装置２８は更に、動作データ及び／又は動作命令及び設定を保存するためのネットワーク記憶装置３８を提供する。ネットワーク記憶装置３８は、ネットワーク制御装置２８と一体的に形成されていてもよく、又は、例えば、ネットワーク上の他の場所又はクラウドホスト型リモートストレージ上に収容されていてもよい。そのような場合、記憶装置３８は、通信インターフェース３２を介してアクセス可能であってもよい。
【０１１３】
複数の実施形態では、ネットワーク制御装置２８自体が、ネットワークの一部における電圧、電流又は周波数条件などのネットワーク動作状態の態様を測定するための測定装置３４を提供してもよい。
【０１１４】
複数の実施形態では、電圧制御装置２６は、ネットワークの各サブセクションで検出された条件に応じて変電所２０に命令を送信して、その変電所におけるトランスの一次コイル及び二次コイルの巻線の比率を増加又は減少させるように動作可能である。電圧制御装置２６は、例えば、消費者２２に供給する電圧が低すぎることを検出して、供給電圧を上げるためにトランスが一次コイルのタッピングを減らす（又は二次コイルのタッピングを増やす）ことを要求してもよい。変電所２０は、トランスの一方が動作を停止し、その結果、トランスの対のうち一方のみが動作可能となるように制御されてもよい。そうすることで動作可能なトランスの負荷が増大し、これがトランスによる出力電圧に影響を与え、従って、ネットワークのその部分の供給電圧にも影響を与える。
【０１１５】
ネットワーク制御装置２８は、グリッド運用及びパフォーマンスを監視するように動作可能なグリッド管理システム３０に接続するための制御インターフェース４０を更に提供する。グリッド管理システム３０は、ユーザインターフェース３２を介して、グリッドネットワークを運用及び監視するユーザに動作状態のフィードバックを提供するように動作可能である。ユーザインターフェースは、ネットワーク制御装置２８にローカルに収容されてもよく、又はリモート端末上のネットワーク接続を介して、又は例えばサーバ上に収容されるウェブベースのポータルを介して収容されてもよい。
【０１１６】
ネットワーク制御装置２８は、主として、電圧制御装置２６から送信されたデータを受信するように動作可能であり、このデータは、関連するローカル変電所２０から供給される電気の電圧の詳細を示す。受信した情報は、電圧、グリッドのその部分で消費者２２によって引き出された電流、動作電流状態、及び周波数についての１以上の測定値を含んでもよい。このようにして、電圧制御システムは、グリッドの前記部分に供給されている電圧及びそのグリッドのそれぞれの部分での動作状態（引き出される負荷を含む）を使用し、電圧を変更することによる効果（少なくともそこから対応する周波数の変化を推測できる電力消費の変化に関する効果）をそのような変更を行う前に推定できる。次に、電圧制御システムは、変電所２０に命令を伝達して、グリッドの前記部分内の消費者２２に供給する電圧を修正電圧に変更する。
【０１１７】
変電所２０のトランスは、通常は、上述のようなタップ切換器を提供する。このタップ切換器は、トランスの一次及び／又は二次巻線の一方又は両方の巻線を増減させて、グリッドの前記部分内の消費者へトランスからの出力電圧を変更するように動作可能である。電圧を変更するための命令は、ネットワーク制御装置２８によって直接変電所２０に送信されるか、ネットワーク制御装置２８から、その変電所２０に関連する電圧制御装置２６を介して送信される。
【０１１８】
複数の実施形態では、ネットワーク制御装置２８は、特定の変電所２０及び／又は電圧制御装置２６が受け持つネットワークのサブセクションでローカルに、又はネットワークレベルで、ネットワークで生じる状況に対する自動応答を実行するようにプログラムされており、ネットワークレベルの場合、ネットワーク上の複数の電圧制御装置２６及び／又は変電所２０の応答が、特定のグリッドレベルの応答を達成するために集中的に制御される。
【０１１９】
複数の実施形態では、ネットワーク制御装置２８は、電圧変更が必要であることを示す周波数イベントなどが検出された場合に、印加する電圧の適切な変更を決定するように構成されている。例えば、周波数の突然のピークの場合、ネットワーク制御装置２８は、前記グリッドの部分で消費される電力を低減するために電圧の低下が必要であると決定するであろう。或いは、システムのユーザが、（ダッシュボード及びユーザインターフェース３２を介して）、可能性のある電圧降下を、その実施前に検討して、その起こり得る結果を決定するであろう。ネットワーク制御装置２８は、記憶装置３８に保存された所定の電圧のセットから候補電圧を選択するか、又はデータ読取値（即ち、現在の電圧、グリッドの前記部分の負荷、及び必要に応じてグリッドの周波数又は達成すべき周波数応答）に基づいて候補電圧を計算するであろう。複数の実施形態では、それぞれが電力消費及び関連する周波数応答の異なる変化を提供する複数の異なる電圧が考慮されるであろう。消費の変化の推定値がユーザに表示されるか、又はネットワーク制御装置２８によって計算されレビューされるので、好ましい候補が、使用すべき修正電圧として選択されるであろう。次にそれに応じた命令が送信され、またユーザ入力が必要な場合は、命令が送信される前に確認が要求される。
【０１２０】
当然ながら、ネットワーク制御装置２８は、グリッド中の複数の電圧制御装置２６から情報を受け取り、救済措置を必要とする変電所を選択する前にグリッドの異なる部分の中から選択するように動作可能である。システムは、それぞれ異なる負荷を受け、恐らく異なる周波数応答特性を有しているグリッドの異なる部分に提供される電圧を変更することによる推定される効果を比較してもよい。このようにして、システムオペレーターは、グリッドの異なる部分に電圧の変更を適用したことによる効果を比較して、どの変電所トランスを操作するか（即ち、供給される電圧を変更するか）に関して経験に基づいた評価を行うことができる。
【０１２１】
グリッドの様々な部分の相対的な特性を評価した後、ネットワーク制御装置２８（及び包括的なグリッド管理システム３０）は、特定の変電所２０及びそれらのそれぞれの電圧制御装置２６に関連する特性に関する情報を保存するように動作可能である。一般的に、グリッドの様々な部分で電圧を変更することによる推定される効果は、変電所が受け持つ消費者と引き出される負荷の大きさとの間に強い相関がある点で、一般的パターンに従う。全て住宅で２万人の消費者を受け持つ部分は、２０の工場からなる工業団地を受け持つ変電所とは引き出し負荷が異なる可能性が高い。２４時間にわたって各変電所において引き出される負荷パターンは大きく異なり、異なる時間に需要がピークになり、変動のレベルも異なる。例えば、各部分での２％の電圧降下の効果は、電力消費量の異なる低下、及びそれに応じて異なる周波数応答をもたらす可能性がある。
【０１２２】
グリッドの需要／負荷がネットワークの発電能力より大きい場合、周波数は低下するが、容量が過剰な場合は周波数が上昇する。本発明の実施形態によれば、電圧制御システムは、トリガーイベントを関連する応答に関連付けた、一連のルールを決定し保存する。例えば、グリッド上の周波数が特定のしきい値を下回る場合、グリッド上の１以上の指定された変電所トランスは、出力電圧を所定量だけ低下させる必要がある。従って、このようにして、グリッドの負荷が高すぎて周波数が低下した場合、電圧制御システムは、電圧出力を低減する必要がある特定のトランスを自動的に選択して、問題を修正又は少なくとも軽減する。
【０１２３】
複数の実施形態では、ネットワーク制御装置２８は、グリッド上の１以上の変電所からの出力電圧の増減をトリガーするための一連のルールを表す、データを保存する。ルールは、グリッドで測定された周波数がしきい値を下回ること、又はしきい値を超えて上昇することを、実行すべき一連の措置に関連付ける。各措置は、変電所と必要な電圧降下又は上昇、又は電圧の上昇又は降下を達成するためにその変電所で行う一連の措置（例えば、トランスの１つを切断する、トランスの一次又は二次巻線の一方に対してコイルのタッピング又はアンタッピングを行うなど）を特定する。
【０１２４】
このようにして、電圧制御装置２６が電圧又は周波数を測定し、又はネットワークの関連する部分の負荷を測定、計算し、そのデータをネットワーク制御装置２８に伝達すると、ネットワーク制御装置は、受信したデータを１以上の保存されたルールと比較する。１以上のルールが受信したデータと一致する（即ち、データが、しきい値を超えたこと、又はデータが指定された範囲にあることを示す）場合、ネットワーク制御装置２８は、トリガールールに対応する命令を指定された装置に伝達する。装置は、変電所２０、又はそれらの変電所２０に関連する電圧制御装置２６であってもよい。このようにして、トリガールールによって指定されるように、電圧応答は、グリッドの１以上の変電所２０で達成される。
【０１２５】
他実施形態では、又は上記に加え、ルール及び対応措置を個々の電圧制御装置２６に保存してもよい。その場合、電圧制御装置２６は、グリッドのそれ自体の関連する部分における電圧及び負荷の読取りを行い、読取り値が、ルールがトリガーされたことを示す場合（例えば、負荷、周波数又は電圧が目標しきい値を超えた場合）、電圧制御装置２６は、その出力電圧を保存されたルールに従って変更するために変電所２０に命令を伝達する。
【０１２６】
グリッド全体に実装されるルールでは、周波数イベント（即ち、高周波数読取り値又は低周波数読取り値が観測された場合）に対して時間をずらした応答（staggered response）を作ってもよい。ルールでは、しきい値を超えてから電圧の応答変化が印加されるまでの時間遅延を規定してもよく、又は、措置が実行される前の設定された期間、読取り値がしきい値を超えていることを要求してもよい。このようにして、ネットワークの所定部分（及び関連する変電所）での応答が遅延される。
【０１２７】
例えば、発電所の故障に対する最初の応答は、高周波数又は低周波数が初めて特定されたときに行われる。このようなシナリオでは、結果として生じる周波数の低下が増強される可能性が高く、迅速な応答が必要である。その最初の応答は、所与の電圧低下に対し単一で電力消費の最大低下を提供可能な変電所２０で行われ、これにより、例えば、過剰な電圧降下を生じさせずに可能な限り最も即時の調整を提供する。そして、所定の時間遅れの後で更なる応答がトリガーされ、その結果、所定の期間後においても周波数が所定の範囲又はしきい値の外にあると判定された場合には更に別の変電所２０が電圧低下を適用する。この場合、これらの別の変電所２０が保存されたルールに従って電圧低下を適用し、グリッド上の周波数のバランスを取り戻す
【０１２８】
この手法は、グリッド全体の電力消費を管理にも適用できる。複数の実施形態によれば、ルールでは、それぞれの変電所２０により供給される電圧への変化を、前記グリッドの各部分が所定の範囲又はしきい値を超えた推定電力需要に従うよう規定する。例えば、電力需要がグリッドのある部分で特定レベルを超えて上昇すると推定される場合、その部分に関連する電圧制御装置２６は、電力消費がレベルＸを超えると推定される場合に、その関連する変電所２０に供給される電圧を０．５Ｖ低減することを規定するルールを適用する。レベルがＸを超えて上昇するのに応答して、電圧制御装置２６は、その関連する変電所２０に命令を伝達し、０．５Ｖの電圧の低減を要求する。変電所２０はそのトランスをそれに応じて調整し、特定の電圧低下をもたらす。電圧制御装置２６は、グリッドの前記部分の電圧を監視し続け、その部分における電力需要を推定し続ける。電力需要が特定のレベルを下回ると、別のルールが元の電圧レベルの復元をトリガーし、変電所２０と通信してその変更を実施することを電圧制御装置２６に促す。
【０１２９】
グリッド全体の電力需要は、このように、本発明のシステムで管理される。
【０１３０】
グリッド全体の異なる電圧制御装置２６に保存されたルールは異なっていてもよい。電圧制御装置２６に保存されたルールは、それぞれの装置で保存するため、ネットワーク制御装置２８及び／又はグリッド管理システム３０から受信してもよい。更新されたルールは、定期的に又はオンデマンドで受信してもよく、例えばインターネット接続やクラウドベースのサービスから、ネットワーク制御装置２８又は電圧制御装置２６にインストールされてもよい。
【０１３１】
システムは、グリッドによって消費者に供給する電圧制御に関して説明してきたが、供給する電圧を単に制御するのではなく、消費をより直接的に制御してグリッドでの周波数又は電力使用量を変化させることも可能である。上記のように、工場及び商業施設は、空調システム、冷凍システム、貯蔵ヒーターなどの数十又は数百の電力消費ユニット２４を提供するであろう。これらの電力消費ユニット２４の全てが、週の全ての日の全ての時間に動作可能である必要はない。性能に重大な悪影響を与えることなく、空調ユニットを短時間オフにすることができる。更に、複数のそのようなユニットが建物に設けられている場合、ある時点での電力消費を制限するために、又は少なくとも全体的な消費をピーク需要の期間からグリッドでの需要がより低い期間に遅らせるために、複数のユニットの使用を時間的にずらすことが可能である。
【０１３２】
逆に、需要が少ないときには、グリッドの周波数が過度に高まるであろう。これを修正するために、例えば、蓄電池をグリッドに接続して、グリッド上の余剰容量を利用してもよい。別の例として、全体の周波数を下げるべく余剰電力を使用するために貯蔵ヒーターをオンにしてもよい。
【０１３３】
これらの周波数のピークと谷の問題は、グリッドが孤立している場合は特に問題になる。例えばヨーロッパの大陸本土では、余剰電力をオフロードしてグリッドのあるセクションの周波数を下げるために、隣接するグリッドを相互に接続できる。しかし、ニュージーランドなどの島国の場合、需要と供給のバランスをとるために接続する隣接する接続グリッドがない。そのような場所では、複数の電力消費ユニット２４を使うシステムが有効であるが、それは負荷のバランスをとる方法が可能になって、周波数が要求される限度内に確実に留めることを保証できるからである。
【０１３４】
これを達成するために、グリッド上のネットワーク制御装置２８は、グリッド上で得た測定値（例えば、電圧、電流、周波数、負荷又は電力消費、又はそれらの組み合わせの測定値）に是正措置が必要であることを示された場合、是正措置を実行するであろう。周波数が低すぎる、又はグリッドでの電力消費が高すぎると判定されると、それにより、リモートの電力消費ユニット２４への命令の伝達がトリガーされて、それらの消費が低減される。命令を受信することによる効果は、１以上の電力消費ユニット２４をオフにすること、それらの電力消費を低減させこと、又は所定の期間だけユニットをオフにして、その後ユニットを再びオンになる。
【０１３５】
複数の実施形態では、図４を参照すると、電力使用量モニタリングシステムは、電力制御装置５６を備え、電力制御装置５６はグリッドの特性を測定するための測定装置６４を提供する。測定装置６４は、変電所２０の上流側５８又は変電所の下流側６２でグリッドに接続され、１以上の特性（電圧、電流、周波数、負荷又は電力消費、又はそれらの組み合わせ）を測定する。
【０１３６】
電力制御装置５６は、関連する記憶装置７０及び通信インターフェース６８を備えたプロセッサ６６を提供する。通信インターフェース６８は、通信チャネルを介して電力消費装置２４と通信するためのものである。当然ながら、住宅に住む消費者２２も電力消費装置を提供してもよい。
【０１３７】
電力制御装置５６は、測定装置６４によって行われた測定値を受け取り、（プロセッサ６６を使用して）是正措置が必要か否かを決定するように動作可能である。この決定は、記憶装置７０に記憶された電力バランシングルールに少なくとも部分的に基づいて行われるであろう。このルールは、測定された状態（例えば、措置が必要とされる測定された状態のしきい値又は範囲を含む）を是正措置に関連付けるものである。是正措置には、１以上の電力消費ユニット２４をオン又はオフにすること、１以上の電力消費ユニット２４を所定の期間オフ（又はオン）にしてから、ユニットを再びオン（又はオフ）にすること、又はユニット２４にそれらの電力消費を低減又は増大するように命令することが含まれる。ルールをアクティブ化するための条件が満たされていると判定すると、プロセッサは、通信インターフェース６８を介して、電力消費ユニット２４に命令を伝達する。
【０１３８】
複数の実施形態では、前記電力消費ユニット２４又は各電力消費ユニット２４にリモート制御ユニット７２が関連付けられている。電力消費ユニット２４への通信は、その代わりにリモート制御ユニット７２によって受信される。リモート制御ユニット７２は電力消費ユニット２４の電力消費を制御するように適合されている。即ち、リモート制御ユニット７２は、電力消費ユニット２４をオン又はオフにするか、それらの電力消費を減少又は増加させるか、又は所定の時間の間電力消費装置２４をオン又はオフにするように動作可能である。
【０１３９】
複数の実施形態では、システムは、１つ又は複数種の特性の以前に測定された１以上の値に関連付けられている以前に測定された電力消費を含むデータセットを含んでもよい。この１つ又は複数種の特性は、電圧、電流、周波数、負荷、又はそれらの組み合わせであってもよい。この１つ又は複数種の特性は、上記のように測定装置によって測定される。データセットは、（トリガーイベント情報を保存する）記憶装置５０に保存されてもよく、又はシステムに関連する別の記憶装置に保存されてもよい。或いは、システムによるリモートアクセスのためにデータセットをクラウドに保存されてもよい。
【０１４０】
そのようなデータセットを使用すると大規模ネットワークでの応答予測が有利であると知られており、特に前記グリッドの前記部分が一定電力と一定インピーダンス負荷の組み合わせを含む場合で、そのような負荷の例として、モーターコントローラー、発電機、他の電力負荷／電源が挙げられ、電力消費変化の抑制又は増幅に対し実質的に独立して応答する。システムは以前より、米国特許出願公開第ＵＳ２０１１／０２５１７３２号明細書（特許文献１）で説明されているような式駆動モデル（即ち、理論モデル）に依存してきた。その式駆動モデルは特定の入力セットに対して同じ応答を呈する（なぜなら、式は定義済入力セットに対して一つの結果を提供するからである）。多くの場合、これらのモデルには、式駆動型モデルを、モデルがモデル化している前記グリッドの前記部分に可能な限り厳密に一致させるための調整可能なパラメータが用意されている。更に、このようなモデルは、電力出力応答の理論的予測を提供する、有限で通常は少ない数のパラメータのセットによって拘束される。対照的に、データセット、即ちグリッドの一部の又は消費者の特性（又は複数の特性）及び／又は特性（又は複数の特性）の変化に関連する以前測定された電力消費及び／又は電力消費の変化、並びに消費電力に関するインプットを持つ他のファクタを含むセットを使用することにより、特性（又は複数の特性）の何らかの変化に対して、どのように電力グリッドの一部又は消費者の電力消費が変化するかを確実に予測することができる。換言すれば、固定されたパラメータのセットに基づいて理論的な予測を行うのではなく、前記システムは、ネットワークに関連する類似（又は同一）シナリオ、類似（又は同一）状況下のネットワーク、又は類似（又は同一）状況変化が発生したネットワークの記録済観察に基づいて、消費電力の変化（即ち、特性（又は複数の特性）値を変更することによる最も可能性の高い効果）を推定する。本発明の複数の実施形態では、システムは、このようにその応答が、観察、又は過去の挙動、及びその挙動の結果に応じて異なった適応的行動を提供する。
【０１４１】
上記のように、システムはプロセッサ、即ち処理装置を含んでもよい。データセットを含む実施形態では、処理装置は、データセット内の以前測定された前記特性（又は複数の特性）値から、前記特性（又は複数の特性）値を第１値から第２値へ変更することによるそれら消費者の電力消費への最も可能性の高い効果を決定できる。
【０１４２】
処理装置は、消費者の電力消費が所望の値に達したか否かを決定するように構成されてもよい。これは、前記グリッドの前記部分が予想される量の電力を引き出していることを保証する上で有利であろう。
【０１４３】
特性、又は複数の特性の測定値、あるいは測定された消費電力は、データセットに追加されてもよい。これは、特性（又は複数の特性）値を第１値から第２値へ変更することによるそれら消費者の電力消費への最も可能性の高い効果を決定する際に処理装置が取得するデータセットにさらに多くのデータを提供でき、有利であろう。
【０１４４】
データセットには、１以上の特性の測定値、及び消費電力の測定値が含まれてもよく、それらは、６０分、５０分、４０分、３０分、２０分、１５分、１０分、５分、４分、３分、２分、又は１分ごとに測定される。これにより、データセットの精度が改善され、特性又は複数の特性値を変更することによる消費者の電力消費への最も可能性の高い効果の精度を改善するので、有利である。
【０１４５】
データセットには、特性（又は複数の特性）と電力消費が測定された曜日（例えば、月曜日、火曜日、水曜日、木曜日、金曜日、土曜日、又は日曜日）を含んでもよい。特性（又は複数の特性）と電力消費が何曜日に測定されたかは、特性（又は複数の特性）値を変更することによる消費者の電力消費への最も可能性の高い効果を決定するのを支援するために使用できる。
【０１４６】
データセットには、少なくとも１年間、２年間、３年間、４年間、５年間、６年間、７年間、１０年間、１５年間、又は２０年間の期間にわたり測定された特性（又は複数の特性）と電力消費が含まれる。これにより、データセットの精度が改善され、特性値又は複数種の特性値を変更することによる消費者の電力消費への最も可能性の高い効果の精度を改善する堅牢なデータセットを提供するのに有利であろう。
【０１４７】
データセットには、測定された特性（又は複数の特性）と測定された電力消費に関連する季節情報を含んでもよい。例えば、データセットは、測定が冬、春、夏、秋のいずれの季節に行われたか、祝日か否かのデータを含まれてもよい。そして、季節情報を使用して、特性（又は複数の特性）値を変更することによる消費者の電力消費への最も可能性の高い効果を決定するのを支援するために使用できる。
【０１４８】
データセットには、測定された特性（又は複数の特性）及び測定された電力消費に関連する環境情報を含んでもよい。例えば、データセットは、以前測定された温度が含まれる。また測定時点の天候が含まれる。これにより、現在測定されている特性（又は複数の特性）と以前測定された特性（又は複数の特性）を正確に一致させることができ、そのことが結果として特性（又は複数の特性）値を第１値から第２値へ変更することによる消費者の電力消費への最も可能性の高い効果をより正確に決定できるようになり、有利であろう。
【０１４９】
データセットには、測定が行われたときのトランスの一次及び／又は二次巻線上の巻線数を含んでもよい。これによりデータッセットの精度が向上し、特性（又は複数の特性）値の変更よる消費者の電力消費への最も可能性の高い効果の精度が向上するため、有利であろう。
【０１５０】
特性（又は複数の特性）値を第１値から第２値へ変更することによる消費者の電力消費への最も可能性の高い効果は、数値回帰、ｋ平均法、多変量解析、ニューラルネットワーク、ベイズの定理のうちの１つ以上を使用して決定してもよい。これは、システムがデータセットを獲得する能力を向上させるので有利であろう。これにより、１以上の特性値を変更することによるそれら消費者の電力消費への最も可能性の高い効果を決定する基となる、最も適切な以前の測定値を決定するシステムの能力を向上させる。
【０１５１】
記憶装置は、変電所に関連付けられた応答措置にトリガーイベントを関連付ける１以上のルールとして保存してもよい。複数の実施形態では、応答措置は、処理装置の決定により、特性又は複数の特性を第１値から第２値に変更することを含んでもよい。
【０１５２】
複数の実施形態では、電力消費ユニットは、それらの電力消費を減少又は上昇させて、特性（又は複数の特性）値を第１値から第２値へ変更することができる。
【０１５３】
本明細書では本発明の例示的な実施形態について説明しているが、特に明記しない限り、異なる実施形態の特徴は、互いに分離して、又は任意の組み合わせで、互いに組み合わせることが可能であることを理解されたい。
【０１５４】
本明細書及び特許請求の範囲で使用される、「含む（comprises）」及び「含んでいる（comprising）」という用語、並びにそれらの変形は、指定された特徴、ステップ、又は完全体（integers）が含まれることを意味する。これらの用語は、他の特徴、ステップ、又はコンポーネントの存在を排除するものと解釈されるべきではない。
【０１５５】
本明細書及び特許請求の範囲で使用される、「含む（comprises）」及び「含んでいる（comprising）」という用語、並びにそれらの変形は、指定された特徴、ステップ、又は完全体（integers）が含まれていることを意味する。これらの用語は、他の特徴、ステップ、又はコンポーネントの存在を排除するものと解釈されるべきではない。
【図１】
2021516936.tif 000003
【図２】
2021516936.tif 000004
【図３】
2021516936.tif 000005
【図４】
2021516936.tif 000006
【国際調査報告】
2021516936.tif 000007
2021516936.tif 000008
2021516936.tif 000009